(57)【特許請求の範囲】
【請求項１】
第１、第２の機器を接続して形成され、第１の機器から第２の機器にデータを送信するデータ伝送システムにおいて、
送信しようとするデータを構成する変調信号、及び第１の機器の上位装置内で使用されるシステムクロック自体から成る所定の周波数のクロック信号を受け、クロック信号を変調信号で変調して変調波を発生させる変調処理手段と、
前記変調波に含まれる高調波成分を除去し、第２の機器に送信するための変調波を発生させる高調波成分除去処理手段と、
前記第１の機器から送信された、高調波成分が除去された後の変調波を復調する復調処理手段とを有することを特徴とするデータ伝送システム。
【請求項２】
複数の変調波を混合する混合処理手段を有するとともに、
前記変調処理手段は、異なる周波数の複数のクロック信号を、それぞれ変調信号で変調して複数の変調波を発生させ、
前記高調波成分除去処理手段は、各変調波に含まれる高調波成分を除去し、
前記混合処理手段は、高調波成分が除去された後の各変調波を混合する請求項１に記載のデータ伝送システム。
【請求項３】
第１、第２の機器を接続して形成され、第１の機器から第２の機器にデータを送信するデータ伝送システムにおいて、
ナビゲーション処理部において発生させられ、送信しようとするデータを構成する変調信号、及び前記ナビゲーション処理部内で使用されるシステムクロック自体から成る所定の周波数のクロック信号を受け、クロック信号を変調信号で変調して変調波を発生させる変調処理手段と、
前記変調波に含まれる高調波成分を除去し、第２の機器に送信するための変調波を発生させる高調波成分除去処理手段と、
前記第１の機器から送信された、高調波成分が除去された後の変調波を復調する復調処理手段とを有することを特徴とするデータ伝送システム。
【請求項４】
他の機器にデータを送信するデータ伝送システムにおいて、
送信しようとするデータを構成する変調信号、及び上位装置内で使用されるシステムクロック自体から成る所定の周波数のクロック信号を受け、クロック信号を変調信号で変調して変調波を発生させる変調処理手段と、
前記変調波に含まれる高調波成分を除去し、他の機器に送信するための変調波を発生させる高調波成分除去処理手段とを有することを特徴とするデータ伝送システム。
【請求項５】
第１、第２の機器を接続して形成され、第１の機器から第２の機器にデータを送信するデータ伝送方法において、
送信しようとするデータを構成する変調信号、及び第１の機器の上位装置内で使用されるシステムクロック自体から成る所定の周波数のクロック信号を受け、クロック信号を変調信号で変調して変調波を発生させ、
該変調波に含まれる高調波成分を除去し、第２の機器に送信するための変調波を発生させ、
前記第１の機器から送信された、高調波成分が除去された後の変調波を復調することを特徴とするデータ伝送方法。  
【発明の詳細な説明】
【技術分野】
【０００１】
本発明は、データ伝送システム及びデータ伝送方法に関するものである。
【背景技術】
【０００２】
従来、画像データ、音声データ、印刷データ等の各種のデータを伝送するためにデータ伝送システムが提供されている。例えば、ナビゲーション装置においては、ＧＰＳ（グローバルポジショニングシステム）によって車両の現在の位置、すなわち、現在地が検出され、データ記録部から地図データが読み出され、表示部に地図画面が形成され、該地図画面に、現在地を表す自車位置、自車位置の周辺の地図等が表示されたり、探索条件に基づいて出発地から目的地までの経路が探索された場合、探索された経路、すなわち、探索経路が前記地図画面に自車位置と共に表示されたりする。
【０００３】
そのために、前記ナビゲーション装置においては、ナビゲーション処理部が配設され、該ナビゲーション処理部と表示部とが送信部を介して接続されてデータ伝送システムが形成される。そして、前記ナビゲーション処理部に配設されたＣＰＵは、データ記録部から地図データ等の各種のデータを読み出し、所定の演算、処理等を行い、グラフィック情報を表すデータを送信部を介して表示部に送信する。また、前記表示部は、前記データを受信し、所定の画像処理を行って画像データを作成し、ディスプレイに送る。
【０００４】
前記データ伝送システムにおいては、前記送信部によって第１の機器が、表示部によって第２の機器が構成され、ＬＶＤＳ（低電圧差動伝送）によってナビゲーション処理部から表示部にデータがディジタルデータ送信により送信される。前記ＬＶＤＳにおいては、ナビゲーション処理部で、パラレル信号が二つのシリアル信号から成る低電圧差動信号に変換され、低電圧差動信号は２本の信号線を介して表示部に送信される。そして、表示部において、低電圧差動信号による２本の信号線間の電位差を「０」及び「１」の２値信号に変換するようになっている（例えば、特許文献１参照。）。
【特許文献１】特開２００３−３３３１０９号公報
【発明の開示】
【発明が解決しようとする課題】
【０００５】
しかしながら、前記従来のデータ伝送システムにおいては、前記低電圧差動信号は、高速のクロック信号に乗せて送信されるので、高調波成分が車両に搭載されたラジオ、テレビ等の機器に妨害を与えてしまう。
【０００６】
図２は従来のデータ伝送システムにおける周波数スペクトラムを示す第１の図、図３は従来のデータ伝送システムにおける周波数スペクトラムを示す第２の図である。なお、図２及び３において、横軸に周波数を、縦軸に電圧を採ってある。
【０００７】
例えば、前記低電圧差動信号の基本波ｗ１の周波数ｆ１を６０〔ＭＨｚ〕としたとき、高調波成分が発生し、各高調波成分のうちの奇数波の高調波成分ｗｉ（ｉ＝３、５、…）が各種の機器に妨害を与えてしまう。そして、各高調波成分ｗｉの周波数をｆｉ（ｉ＝３５、…）とすると、
ｆ３＝１８０〔ＭＨｚ〕
ｆ５＝３００〔ＭＨｚ〕
ｆ７＝４２０〔ＭＨｚ〕
ｆ９＝５４０〔ＭＨｚ〕
等のようになり、基本波ｗ１及び高調波成分ｗｉの電圧は図において矢印の長さで表される。
【０００８】
これに対して、ラジオ、テレビ等の場合、使用される電波には、無線周波数（ＲＦ周波数）の周波数帯域によってＦＭ波、ＶＨＦ（Ｌ）波、ＶＨＦ（Ｈ）波、ＵＨＦ波等があり、各電波と高調波成分ｗｉとが干渉すると、ノイズが発生してしまう。
【０００９】
例えば、データ伝送システムを国内で使用すると、図２に示されるように、高調波成分ｗ３とＶＨＦ（Ｈ）波とが、高調波成分ｗ９とＵＨＦ波とが干渉してしまう。また、データ伝送システムを海外で使用すると、図３に示されるように、高調波成分ｗ３とＶＨＦ（Ｈ）波とが、高調波成分ｗ９とＵＨＦ波とが干渉するだけでなく、基本波ｗ１とＶＨＦ（Ｌ）波とが干渉することがあり、その場合、基本波ｗ１の周波数ｆ１を変更する必要があるが、周波数ｆ１を変更しても、高調波成分といずれかの電波とが干渉するのを防止することができない。
【００１０】
また、前記低電圧差動信号は、直流成分から成るので、ナビゲーション処理部から表示部に前記低電圧差動信号を送信するための通信線をＤＣ直結とする必要がある。したがって、ナビゲーション処理部と表示部とが断線すると、接続線がグラウンドに接触してショートすることがあり、故障が発生しやすくなってしまう。
【００１１】
そして、前記低電圧差動信号は、二つのシリアル信号から成るので、各シリアル信号の管理が困難であり、各シリアル信号の信号長が異なったり、インピーダンス（抵抗）が異なったりすると、低電圧差動信号によって情報を送ることができなくなってしまう。
【００１２】
さらに、前記低電圧差動信号によってデータを送信しようとすると、データ伝送システムの負荷容量、データ伝送システムに含まれる保護回路等によって、低電圧差動信号の高域側の信号レベルが低くなる傾向があり、その場合、各シリアル信号のパルスがなまってしまい、第２の機器側においてデータを復元することができなくなり、第１の機器から第２の機器に情報を送ることができなくなってしまう。
【００１３】
そこで、高域側の信号レベルを高くするために、レベルを調整する回路を配設することが考えられるが、その場合、データ伝送システムのコストが高くなってしまう。
【００１４】
本発明は、前記従来のデータ伝送システムの問題点を解決して、他の機器に妨害を与えることがなく、故障が発生しにくく、第１の機器から第２の機器に情報を確実に送ることができるデータ伝送システム及びデータ伝送方法を提供することを目的とする。
【課題を解決するための手段】
【００１５】
そのために、本発明のデータ伝送システムにおいては、第１、第２の機器を接続して形成され、第１の機器から第２の機器にデータを送信するようになっている。
【００１６】
そして、送信しようとするデータを構成する変調信号、及び第１の機器の上位装置内で使用されるシステムクロック自体から成る所定の周波数のクロック信号を受け、クロック信号を変調信号で変調して変調波を発生させる変調処理手段と、前記変調波に含まれる高調波成分を除去し、第２の機器に送信するための変調波を発生させる高調波成分除去処理手段と、前記第１の機器から送信された、高調波成分が除去された後の変調波を復調する復調処理手段とを有する。
【発明の効果】
【００１７】
本発明によれば、クロック信号が変調信号で変調されて変調波が発生させられ、変調波に含まれる高調波成分が除去され、第２の機器に送信するための変調波が発生させられるので、車両に搭載されたラジオ、テレビ等の機器に妨害を与えることがなくなる。
【００１８】
また、送信しようとするデータが変調信号とされ、シリアル信号として第２の機器に送る必要がないので、仮に、変調信号の信号長、インピーダンス等が変化しても、送信しようとするデータの情報を確実に送ることができる。
【００１９】
さらに、クロック信号を発生させるためのクロック信号発生部、高調波成分除去処理手段等において、コンデンサの負荷容量を大きくしようとした場合、クロック信号のパルスがなまるが、変調信号はその影響を受けることはない。したがって、送信しようとするデータの情報を確実に送ることができる。
【発明を実施するための最良の形態】
【００２０】
以下、本発明の実施の形態について図面を参照しながら詳細に説明する。
【００２１】
図１は本発明の第１の実施の形態におけるデータ伝送システムを示す図、図４は本発明の第１の実施の形態における可変ゲインアンプの動作を示す図、図５は本発明の第１の実施の形態における周波数スペクトラムを示す第１の図、図６は本発明の第１の実施の形態における周波数スペクトラムを示す第２の図である。なお、図５及び６において、横軸に周波数を、縦軸に電圧を採ってある。
【００２２】
図において、１４は情報端末、例えば、車両に搭載された車載装置としてのナビゲーション装置であり、該ナビゲーション装置１４は、自車の現在地を検出する現在地検出部としてのＧＰＳセンサ１５、地図データのほかに各種の情報が記録された情報記録部としてのデータ記録部１６、入力された情報に基づいて、ナビゲーション処理等の各種の演算処理を行うナビゲーション処理部１７、操作者である運転者が所定の入力を行うための操作部３４、図示されない画面に表示された画像によって各種の表示を行い、運転者に通知するための出力部としての表示部３５、通信端末として機能する送受信部としての通信部３８、データを表示部３５に送信するためのデータ送信部１８等を備え、前記ナビゲーション処理部１７に、ＧＰＳセンサ１５、データ記録部１６、操作部３４、通信部３８等が接続されるほかに、データ送信部１８を介して表示部３５が接続される。
【００２３】
前記データ記録部１６は、データベースを備え、該データベースに地図データが記録される。該地図データには、交差点に関する交差点データ、ノードに関するノードデータ、道路リンクに関する道路データ、探索用に加工された探索データ、施設に関する施設データ等が含まれる。
【００２４】
また、前記ナビゲーション処理部１７は、ナビゲーション装置１４の全体の制御を行う制御装置としての、かつ、演算装置としてのＣＰＵ３１、該ＣＰＵ３１が各種の演算処理を行うに当たってワーキングメモリとして使用されるＲＡＭ３２、制御用のプログラムのほか、目的地までの経路の探索、経路案内等を行うための各種のプログラムが記録されたＲＯＭ３３等を備える。なお、前記ＲＡＭ３２、ＲＯＭ３３等によって、記録装置が構成される。
【００２５】
前記表示部３５は、ディスプレイを備え、該ディスプレイに各種の画面が形成され、該画面に、車両の現在地を自車位置として、車両の方位を自車方位として表示したり、地図、探索経路、該探索経路に沿った案内情報、交通情報等を表示したり、探索経路における次の交差点までの距離、次の交差点における進行方向を表示したりすることができる。
【００２６】
また、前記通信部３８は、道路交通情報センタから送信された交通情報、一般情報等の各種の情報を、道路に沿って配設された電波ビーコン装置、光ビーコン装置等を介して電波ビーコン、光ビーコン等として受信するためのビーコンレシーバ、ＦＭ放送局を介してＦＭ多重放送として受信するためのＦＭ受信機等を備える。
【００２７】
次に、前記構成のナビゲーションシステムの基本動作について説明する。
【００２８】
まず、運転者によって操作部３４が操作され、ナビゲーション装置１４が起動されると、ＣＰＵ３１の図示されないナビ初期化処理手段は、ナビ初期化処理を行い、ＧＰＳセンサ１５によって検出された車両の現在地等を読み込むとともに、各種のデータを初期化する。次に、前記ＣＰＵ３１の図示されないマッチング処理手段は、マッチング処理を行い、現在地を読み込み、読み込まれた現在地の軌跡、及び現在地の周辺の道路を構成する各道路リンクの形状、配列等に基づいて、現在地がいずれの道路リンク上に位置するかの判定を行うことによって、現在地を特定する。
【００２９】
続いて、ＣＰＵ３１の図示されない基本情報取得処理手段は、基本情報取得処理を行い、前記地図データを、データ記録部１６から読み出して取得するか、又は通信部３８を介して受信して取得する。
【００３０】
そして、前記ＣＰＵ３１の図示されない表示処理手段は、表示処理を行い、前記表示部３５のディスプレイに各種の画面を形成する。例えば、表示処理手段の地図表示処理手段は、地図表示処理を行い、ディスプレイに地図画面を形成し、該地図画面に周囲の地図を表示するとともに、現在地を自車位置として表示する。したがって、運転者は、前記地図、自車位置等に従って車両を走行させることができる。
【００３１】
また、運転者が操作部３４を操作して目的地を入力すると、ＣＰＵ３１の図示されない経路探索処理手段は、経路探索処理を行い、前記現在地、目的地、探索条件等を読み込むともに、データ記録部１６から探索データ等を読み出し、現在地、目的地及び探索データに基づいて、現在地で表される出発地から目的地までの経路を前記探索条件で探索し、探索経路を表す経路データを出力する。
【００３２】
続いて、前記ＣＰＵ３１の図示されない案内処理手段は、案内処理を行い、経路案内を行う。そのために、前記表示処理手段は、前記経路データを読み込み、該経路データに従って前記地図画面に探索経路を表示する。したがって、運転者は探索経路に従って車両を走行させることができる。
【００３３】
ところで、前記ナビゲーション装置１４においては、ナビゲーション処理部１７と表示部３５とがデータ送信部１８を介して接続されてデータ伝送システムが形成される。そして、前記表示処理手段は、地図データ、経路データ等のデータを表示部３５に送信し、該表示部３５は、前記データを受信し、所定の画像処理を行って画像データを作成し、ディスプレイに送る。なお、前記データ伝送システムにおいては、ナビゲーション処理部１７によって上位装置が、前記データ送信部１８によって第１の機器が、表示部３５によって第２の機器が構成される。
【００３４】
ところで、本実施の形態においては、データを表示部３５に送信するために、データ送信部１８は、変調処理手段としての可変ゲインアンプ２１、高周波除去処理手段としてのバンドパスフィルタ２２、及び減衰処理手段としての減衰器２３を備える。なお、本実施の形態においては、変調処理手段として可変ゲインアンプ２１が使用されるようになっているが、変調処理手段として、可変ゲインアンプ２１に代えて、変調器を使用することができる。
【００３５】
一方、表示部３５は、増幅処理手段としてのアンプ２５、信号処理手段としてのバンドパスフィルタ２６、及び復調処理手段としての復調器２７を備える。
【００３６】
ところで、本実施の形態においては、可変ゲインアンプ２１に、送信しようとするデータを構成する変調信号Ｓｇ１が入力されるとともに、所定のクロック信号ＣＬ１が搬送波信号として入力される。本実施の形態において、前記変調信号Ｓｇ１は、例えば、５０〔Ｍｂｐｓ〕のデータ量から成る「０」及び「１」の２値信号から成る。また、前記クロック信号ＣＬ１としては、ナビゲーション処理部１７内で使用されているシステムクロックのうちの、周波数ｆが、ラジオ、テレビ等の機器の無線周波数（ＲＦ周波数）の周波数帯域と異なるシステムクロックが使用される。本実施の形態においては、周波数ｆが４５０〔ＭＨｚ〕に、振幅が２．３〔Ｖｐｐ〕にされる。
【００３７】
前記可変ゲインアンプ２１は、変調処理を行い、クロック信号ＣＬ１を変調信号Ｓｇ１で変調（ＡＳＫ変調）し、変調波Ｓｇ２を発生させる。そのために、可変ゲインアンプ２１は、変調利得を制限する減衰器として機能し、前記変調信号Ｓｇ１の「０」及び「１」によって、クロック信号ＣＬ１の振幅を変更し、前記変調信号Ｓｇ１が「０」であるとき、振幅を小さくし、変調信号Ｓｇ１が「１」であるとき、振幅をクロック信号ＣＬ１のままにする。
【００３８】
ところで、クロック信号ＣＬ１は、高調波成分を含む合成波から成る。そこで、前記バンドパスフィルタ２２は、高周波除去処理を行い、変調波Ｓｇ２を受け、変調波Ｓｇ２に含まれる４５０〔ＭＨｚ〕以外の高調波成分を除去する。
【００３９】
続いて、減衰器２３は、減衰処理を行い、変調波Ｓｇ３を減衰させ、変調波Ｓｇ３の振幅を小さくし、法律等によって規制された値にして、変調波Ｓｇ４を発生させる。そして、該変調波Ｓｇ４は、表示部３５に送信される。
【００４０】
一方、表示部３５において、アンプ２５は、変調波Ｓｇ４を受信すると、増幅処理を行い、振幅を大きくし、各種の処理を行うのに必要な値にして、変調波Ｓｇ５を発生させる。また、バンドパスフィルタ２６は信号処理を行い、変調波Ｓｇ５に含まれる所定の周波数の信号だけを通過させ、処理信号Ｓｇ６を発生させる。
【００４１】
続いて、復調器２７は、復調処理を行い、前記変調信号Ｓｇ１と同じパターンの復調信号Ｓｇ７を発生させる。該復調信号Ｓｇ７は、５０〔Ｍｂｂｓ〕のデータ量から成る「０」及び「１」の２値信号から成る。
【００４２】
したがって、表示部３５において、前記変調信号Ｓｇ１に含まれるデータを受信することができる。そして、該データに対して所定の画像処理が行われ、画像データが作成され、ディスプレイに送られる。
【００４３】
このように、本実施の形態においては、搬送波信号としてナビゲーション処理部１７内で使用されるシステムクロックが使用されるので、発振回路を配設する必要がなく、変調処理手段として可変ゲインアンプ２１が使用され、簡素化されるので、データ伝送システムのコストを低くすることができる。
【００４４】
また、バンドパスフィルタ２２によって、変調波Ｓｇ２に含まれる２次以降の高調波成分が除去されるので、車両に搭載されたラジオ、テレビ等の機器に妨害を与えることがなくなる。
【００４５】
すなわち、ラジオ、テレビ等の場合、図５及び６に示されるように、使用される電波には、無線周波数（ＲＦ周波数）の周波数帯域によってＦＭ波、ＶＨＦ（Ｌ）波、ＶＨＦ（Ｈ）波、ＵＨＦ波等があるが、クロック信号ＣＬ１として基本波ｗ１１の周波数ｆが４５０〔ＭＨｚ〕のシステムクロックを使用すると、データ伝送システムを国内で使用しても、海外で使用しても、基本波ｗ１１と各電波とが干渉しない。また、基本波ｗ１１の高調波成分がバンドパスフィルタ２２によって除去されるので、高調波成分と各電波とが干渉することもない。
【００４６】
また、前記変調波Ｓｇ４は、直流成分を持たないので、データ送信部１８から表示部３５に前記変調波Ｓｇ４を送信するための通信線をＤＣ直結とする必要がない。
【００４７】
そして、送信しようとするデータが変調信号Ｓｇ１とされ、シリアル信号として表示部３５に送る必要がないので、仮に、変調信号Ｓｇ１の信号長、インピーダンス（抵抗）等が変化しても、送信しようとするデータの情報を確実に送ることができる。
【００４８】
さらに、クロック信号ＣＬ１を発生させるためのクロック信号発生部、バンドパスフィルタ２２等において、コンデンサの負荷容量を大きくしようとした場合、クロック信号ＣＬ１のパルスがなまるが、変調信号Ｓｇ１はその影響を受けることはない。したがって、送信しようとするデータの情報を確実に送ることができる。
【００４９】
ところで、ナビゲーション処理部１７のシステム内で複数の異なる周波数のクロック信号、又は分周信号が使用されている場合、各クロック信号、又は分周信号をそれぞれを搬送波信号とすることができる。次に、複数の異なる周波数の搬送波信号を使用するようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５０】
図７は本発明の第２の実施の形態におけるデータ伝送システムの要部を示す図である。
【００５１】
この場合、データを表示部３５に送信するために、データ送信部１８は、第１、第２の変調処理手段としての可変ゲインアンプ５１、６１、第１、第２の高周波除去処理手段としてのバンドパスフィルタ５２、６２、混合処理手段としての混合器６３、及び減衰処理手段としての減衰器５３を備える。
【００５２】
一方、表示部３５は、増幅処理手段としてのアンプ５５、分配処理手段としての分配器６８、第１、第２の信号処理手段としてのバンドパスフィルタ５６、６６、及び第１、第２の復調処理手段としての復調器５７、６７を備える。
【００５３】
ところで、本実施の形態においては、可変ゲインアンプ５１、６１に、送信しようとするデータを構成する変調信号Ｓｇ１１、Ｓｇ２１が入力されるとともに、所定のクロック信号ＣＬ１１、ＣＬ２１が搬送波信号として入力される。本実施の形態において、前記変調信号Ｓｇ１１は、例えば、５０〔Ｍｂｂｓ〕のデータ量から成る「０」及び「１」の２値信号から成り、前記変調信号Ｓｇ２１は、例えば、２５〔Ｍｂｂｓ〕のデータ量から成る「０」及び「１」の２値信号から成る。また、前記クロック信号ＣＬ１１としては、ナビゲーション処理部１７内で使用されるシステムクロックのうちの、周波数ｆ１１が、ラジオ、テレビ等の機器の無線周波数の周波数帯域と異なるシステムクロックが使用され、前記クロック信号ＣＬ１１としては、ナビゲーション処理部１７内で使用されるシステムクロックのうちの、周波数ｆ１２が、前記周波数ｆ１１及び前記無線周波数の周波数帯域と異なるシステムクロックが使用される。本実施の形態においては、周波数ｆ１１が４５０〔ＭＨｚ〕に、振幅が２．３〔Ｖｐｐ〕にされ、周波数ｆ１２が２２５〔ＭＨｚ〕に、振幅が２．３〔Ｖｐｐ〕にされる。
【００５４】
前記可変ゲインアンプ５１、６１は、第１、第２の変調処理を行い、クロック信号ＣＬ１１、ＣＬ２１を変調信号Ｓｇ１１、Ｓｇ２１で変調し、変調波Ｓｇ１２、Ｓｇ２２を出力する。
【００５５】
ところで、前記クロック信号ＣＬ１１、ＣＬ２１は、高調波成分を含む合成波から成る。そこで、前記バンドパスフィルタ５２、６２は、第１、第２の高周波除去処理を行い、変調波Ｓｇ１２、Ｓｇ２２を受け、変調波Ｓｇ１２に含まれる４５０〔ＭＨｚ〕以外の高調波成分、及び変調波Ｓｇ２２に含まれる２２５〔ＭＨｚ〕以外の高調波成分を除去する。
【００５６】
続いて、混合器６３は変調波Ｓｇ１３、Ｓｇ２３を受け、混合処理を行い、変調波Ｓｇ１３、Ｓｇ２３を混合して、一つの変調波Ｓｇ２４を発生させる。そして、減衰器５３は、減衰処理を行い、変調波Ｓｇ２４を減衰させ、変調波Ｓｇ２４の振幅を小さくし、法律等によって規制された値にして、変調波Ｓｇ１４を発生させる。さらに、該変調波Ｓｇ１４は、表示部３５に送信される。
【００５７】
一方、表示部３５において、アンプ５５は、変調波Ｓｇ１４を受信すると、増幅処理を行い、振幅を大きくし、各種の処理を行うのに必要な値にして、変調波Ｓｇ１５を発生させる。また、分配器６８は分配処理を行い、変調波Ｓｇ１５を、二つの異なる周波数ｆ１１、ｆ１２の変調波Ｓｇ２８、Ｓｇ２９に分配する。続いて、バンドパスフィルタ５６、６６は第１、第２の信号処理を行い、変調波Ｓｇ２８、Ｓｇ２９に含まれる周波数ｆ１１、ｆ１２の信号だけを通過させ、処理信号Ｓｇ１６、Ｓｇ２６を発生させる。
【００５８】
続いて、復調器５７、６７は、第１、第２の復調処理を行い、前記変調信号Ｓｇ１１、Ｓｇ２１と同じパターンの復調信号Ｓｇ１７、Ｓｇ２７を発生させる。該復調信号Ｓｇ１７は、５０〔Ｍｂｂｓ〕のデータ量から成る「０」及び「１」の２値信号から成り、復調信号Ｓｇ２７は、２５〔Ｍｂｂｓ〕のデータ量から成る「０」及び「１」の２値信号から成る。
【００５９】
したがって、表示部３５において、前記変調信号Ｓｇ１１、Ｓｇ２１に含まれるデータを受信することができる。そして、該データに対して所定の画像処理が行われ、画像データが作成され、ディスプレイに送られる。
【００６０】
このように、本実施の形態においては、一つの信号線で、複数の周波数ｆ１１、ｆ１２の変調波Ｓｇ１３、Ｓｇ２３を混合し、多重化することができる。したがって、信号線に沿って構成される伝送路を簡素化することができる。
【００６１】
前記各実施の形態においては、ナビゲーション処理部１７で発生させられたデータを表示部３５に送信するためのデータ伝送システムについて説明しているが、本発明を、画像データ、音声データ、印刷データ等の各種のデータを機器間で伝送するためのデータ伝送システムに適用することができる。
【００６２】
なお、本発明は前記実施の形態に限定されるものではなく、本発明の趣旨に基づいて種々変形させることが可能であり、それらを本発明の範囲から排除するものではない。
【図面の簡単な説明】
【００６３】
【図１】本発明の第１の実施の形態におけるデータ伝送システムを示す図である。
【図２】従来のデータ伝送システムにおける周波数スペクトラムを示す第１の図である。
【図３】従来のデータ伝送システムにおける周波数スペクトラムを示す第２の図である。
【図４】本発明の第１の実施の形態における可変ゲインアンプの動作を示す図である。
【図５】本発明の第１の実施の形態における周波数スペクトラムを示す第１の図である。
【図６】本発明の第１の実施の形態における周波数スペクトラムを示す第２の図である。
【図７】本発明の第２の実施の形態におけるデータ伝送システムの要部を示す図である。
【符号の説明】
【００６４】
１７    ナビゲーション処理部
１８    データ送信部
２１    可変ゲインアンプ
２２    バンドパスフィルタ
３５    表示部
６３    混合器
【図１】
0004752577.tif 000002
【図２】
0004752577.tif 000003
【図３】
0004752577.tif 000004
【図４】
0004752577.tif 000005
【図５】
0004752577.tif 000006
【図６】
0004752577.tif 000007
【図７】
0004752577.tif 000008